(57)【要約】【課題】タッチパネルを用いた大型ディスプレイを有し装置本体の姿勢によらず操作性のよい操作キーを備えた撮像装置を提供する。【解決手段】デジタルカメラ５のカメラボディ６を縦長の姿勢、かつ右手１０７で把持すると、右手１０７の親指がタッチパネル１９に接触した位置１１０の接触信号と、姿勢センサ３１による縦長の姿勢を示す姿勢検知信号とが出力され、ＬＣＤ１８に表示される方向キー２１，２２、レリーズキー２３などの操作キー、及び各種情報などの表示がカメラボディ６の姿勢及びタッチパネル１９上の位置１１０に合わせて切り替えられる。【選択図】図５
2007300353.tif 000002
【特許請求の範囲】
【請求項１】
撮像レンズによって結像された被写体像を光電変換して撮像画像を得る撮像手段と、
前記撮像手段が設けられた装置本体と、
前記装置本体の背面に形成され、前記背面と略同一の面積を有し、前記撮像画像又は再生画像を表示する略長方形の表示面を持つディスプレイと、
前記ディスプレイの少なくとも一部分に対応するように設けられ、撮像者が触れたときにその接触位置を検知するタッチパネルと、
前記装置本体の各部を操作するための操作キーを前記ディスプレイに表示させるとともに、前記操作キーに対応する接触位置が前記タッチパネルによって検知されたときに前記装置本体の各部を動作させる制御手段と、
前記装置本体の姿勢を検知する姿勢検知手段と
を備えた撮像装置において、
前記制御手段は、前記姿勢検知手段によって検知された前記装置本体の姿勢に応じて、前記操作キーの位置又は向きのうち、少なくとも何れか一方を変更する表示切り替えを行うことを特徴とする撮像装置。
【請求項２】
前記制御手段は、各種情報を撮像者に通知するための情報表示を前記ディスプレイに表示させるとともに、前記姿勢検知手段によって検知された前記装置本体の姿勢に応じて、前記情報表示の位置又は向きのうち、少なくとも何れか一方を変更する表示切り替えを行うことを特徴とする請求項１記載の撮像装置。
【請求項３】
前記姿勢検知手段は、前記タッチパネル及び前記制御手段を少なくとも含んでおり、前記制御手段は、前記装置本体の少なくとも２つ以上の姿勢に対応する姿勢指示領域を前記ディスプレイの表示画面に設定しており、前記姿勢指示領域に対応する位置で前記タッチパネルから接触検知があったときに前記装置本体の姿勢を判定することを特徴とする請求項１または２何れか記載の撮像装置。
【請求項４】
前記制御手段は、前記タッチパネルからの接触検知があった場合、この接触検知があった位置を除く部分に、前記撮像画像及び再生画像のサイズ及び位置を変更して表示することを特徴とする請求項１ないし３何れか記載の撮像装置。
【請求項５】
前記制御手段は、前記タッチパネルからの接触見地がないときには、前記ディスプレイの全画面に前記撮像画像を表示することを特徴とする請求項１ないし４何れか記載の撮像装置。
【請求項６】
前記撮影レンズは、撮影時に前記装置本体から突出する突出位置と、この突出位置から像面側へ退避する沈胴位置との間で前記装置本体に対して移動自在に取り付けられたレンズ鏡胴に内蔵されており、
前記制御手段は、前記タッチパネルからの接触検知を監視し、接触検知がある場合には、前記レンズ鏡胴を前記突出位置で保持し、前記タッチパネルからの接触検知がなくなった場合には、前記レンズ鏡胴を前期突出位置から前記沈胴位置に移動させることを特徴とする請求項１ないし５何れか記載の撮像装置。
【請求項７】
前記装置本体は、三脚を接続する接続部と、この接続部に三脚が接続されていることを検知して接続検知信号を出力する接続検知手段とを備えており、
前記制御手段は、前記接続検知手段からの前記接続検知信号を受けたときには、前記タッチパネルからの接触検知の有無によらず、前記レンズ鏡胴の前記沈胴位置への移動を規制することを特徴とする請求項６記載の撮像装置。
【発明の詳細な説明】
【技術分野】
【０００１】
本発明は撮像装置に関する。特に、撮像装置本体に設けられたタッチパネルで操作入力を行う撮像装置に関する。
【背景技術】
【０００２】
ＣＣＤイメージセンサなどの撮像手段によって撮像した撮像画像をデジタルデータに変換して、メモリに記憶するデジタルカメラが知られている。このデジタルカメラの本体には、その背面に撮像画像を表示する例えばＬＣＤなどのディスプレイが設けられており、撮影時には被写体のスルー画像を表示する電子ビューファインダとして、また、再生時にはメモリに記憶した撮影画像を再生表示するモニタとしてディスプレイを使用する。
【０００３】
さらに、近年では、ディスプレイとともにタッチパネルをデジタルカメラに設け、ディスプレイに表示したアイコンなどの位置をタッチパネルで入力することによって操作を行うことが一般的となってきている。
【０００４】
ところで、デジタルカメラは、手軽に持ち歩ける携帯性が望まれていることから小型化あるいは薄型化が進む一方で、ディスプレイについては、視認性の向上および迫力ある画面表示の要求から大型化が進んでいる。また、デジタルカメラでは、メニューボタン、ズームスイッチ、十字キーなどのデジタルカメラの設定や操作に必要な操作部材操作性を考慮して本体の背面、すなわち、ディスプレイと同一面に設けられていることが多い。これらの操作部材は、必要以上に小さくするとデジタルカメラの操作性を低下させることになるため、ある程度の大きさを必要とし、デジタルカメラ背面のスペースを占有することとなる。
【０００５】
そこで、各種操作キーなどを示す画像をディスプレイに表示し、タッチパネルによってその位置の接触を検知して操作を行う構成とすることで、上述した操作部材を省略し、その分ディスプレイを大型化してデジタルカメラ背面のスペースを有効に使用するデジタルカメラが知られている。（例えば特許文献１〜３）。さらに特許文献１では、ユーザがデジタルカメラを把持したときに、タッチパネルのどの位置に接触しているかを検出し、予め用意された複数種類の情報の中から、接触位置に応じた操作ボタン（操作キー）の表示位置や配置に変更する構成のデジタルカメラが記載されている。これによって、ユーザの手の大きさやデジタルカメラを把持するときのそれぞれのポジションに合わせて操作ボタンの位置を対応させることができる。
【０００６】
また、特許文献２記載のデジタルカメラは、再生時は画像をディスプレイの全画面に表示し、撮影時は、デジタルカメラ本体を確実に把持する必要があることから表示画像を縮小し、デジタルカメラを把持する指がかからない部分にスルー画像を表示するように表示切り替えを行って撮像を行う構成としている。さらにまた、特許文献３記載のデジタルカメラでは、左右何れの手でも操作できるようにディスプレイの表示を切り替える構成が記載されている。
【０００７】
一方、タッチパネルを採用しているか否かに関わらず、デジタルカメラなどで撮影した画像の上下左右は撮影するデジタルカメラの姿勢によるから、撮影後、撮影した画像をディスプレイに表示してみると、意図しない向きに表示されてしまうことも間々ある。この問題を解消するためにレリーズボタンを予め複数個設置し、どのレリーズボタンが押圧されたかに応じて、デジタルカメラの姿勢を判断し、取得した画像を正しい向きで表示できるように回転情報を同時に取得するデジタルカメラが知られている（特許文献４参照）。
【特許文献１】特願平９−３２５６６２号広報
【特許文献２】特開２００４−２３５８１号広報
【特許文献３】特開２００４−３４０９９１号広報
【特許文献４】特開２００４−３３６５３６号広報
【発明の開示】
【発明が解決しようとする課題】
【０００８】
上記特許文献記載のデジタルカメラでは、ユーザの手の大きさや、把持位置などに応じてディスプレイ上の画像や、操作ボタンの位置を切り替えるようにしている。しかしながら、これらのデジタルカメラでは、カメラ本体の姿勢が変化したときの操作ボタンなどの表示位置又は配置形態については考慮されていない。すなわち、カメラ本体を横向きや、縦向きなど姿勢を変更した場合、ユーザの把持する位置、指を置く位置などがそれぞれ異なっており、例えば横向きに合わせた操作ボタンの位置のまま、縦向きにカメラ本体を回転するとユーザの手や指の位置に合わなくなり、操作性が低下する。また、横向きに合わせた表示では、縦向きとしたときに表示が見づらくなることもある。
【０００９】
また、デジタルカメラを使用するときには、上述したカメラ本体の姿勢変化だけではなく、撮影時と再生時とでは、ユーザの把持する位置が異なり、また、レンズ鏡胴が繰り出し、沈胴する場合や、三脚などに接続した場合など使用形態の変化によって、操作するときに最適な操作ボタンの位置はそれぞれ異なる。
【００１０】
本発明は、上記問題点を解決するためになされたものであり、撮像装置本体の姿勢の変更及び使用形態に応じて最適な位置に操作キーを配置することが可能な撮像装置を提供することを目的とする。
【課題を解決するための手段】
【００１１】
本発明の撮像装置は、撮像レンズによって結像された被写体像を光電変換して撮像画像を得る撮像手段と、前記撮像手段が設けられた装置本体と、前記装置本体の背面に形成され、前記背面と略同一の面積を有し、前記撮像画像又は再生画像を表示する略長方形の表示面を持つディスプレイと、前記ディスプレイの少なくとも一部分に対応するように設けられ、撮像者が触れたときにその接触位置を検知するタッチパネルと、前記装置本体の各部を操作するための操作キーを前記ディスプレイに表示させるとともに、前記操作キーに対応する接触位置が前記タッチパネルによって検知されたときに前記装置本体の各部を動作させる制御手段と、前記装置本体の姿勢を検知する姿勢検知手段とを備えており、前記制御手段は、前記姿勢検知手段によって検知された前記装置本体の姿勢に応じて、前記操作キーの位置又は向きのうち、少なくとも何れか一方を変更する表示切り替えを行うことを特徴とする。また、前記姿勢検知手段にはジャイロスコープが用いられる。あるいは、複数の位置に設けられた圧力センサや、機械式スイッチ、あるいは光学センサを用いたものなど装置本体の姿勢を検知できるものであればよい。
【００１２】
また、前記制御手段は、各種情報を撮像者に通知するための情報表示を前記ディスプレイに表示させるとともに、前記姿勢検知手段によって検知された前記装置本体の姿勢に応じて、前記情報表示の位置又は向きのうち、少なくとも何れか一方を変更する表示切り替えを行うことを特徴とする。
【００１３】
また、前記姿勢検知手段は、前記タッチパネル及び前記制御手段を少なくとも含んでおり、前記制御手段は、前記装置本体の少なくとも２つ以上の姿勢に対応する姿勢指示領域を前記ディスプレイの表示画面に設定しており、前記姿勢指示領域に対応する位置で前記タッチパネルから接触検知があったときに前記装置本体の姿勢を判定することを特徴とする。
【００１４】
また、前記制御手段は、前記タッチパネルからの接触検知があった場合、この接触検知があった位置を除く部分に、前記撮像画像及び再生画像のサイズ及び位置を変更して表示することを特徴とする。
【００１５】
また、前記制御手段は、前記タッチパネルからの接触見地がないときには、前記ディスプレイの全画面に前記撮像画像を表示することを特徴とする。
【００１６】
また、前記撮影レンズは、撮影時に前記装置本体から突出する突出位置と、この突出位置から像面側へ退避する沈胴位置との間で前記装置本体に対して移動自在に取り付けられたレンズ鏡胴に内蔵されており、前記制御手段は、前記タッチパネルからの接触検知を監視し、接触検知がある場合には、前記レンズ鏡胴を前記突出位置で保持し、前記タッチパネルからの接触検知がなくなった場合には、前記レンズ鏡胴を前記突出位置から前記沈胴位置に移動させることを特徴とする。
【００１７】
また、前記装置本体は、三脚を接続する接続部と、この接続部に三脚が接続されていることを検知して接続検知信号を出力する接続検知手段とを備えており、前記制御手段は、前記接続検知手段からの前記接続検知信号を受けたときには、前記タッチパネルからの接触検知の有無によらず、前記レンズ鏡胴の前記沈胴位置への移動を規制することを特徴とする。
【発明の効果】
【００１８】
また、本発明の撮像装置は、姿勢検知手段によって検知する撮像装置本体の姿勢に応じて、ディスプレイに表示する操作キーを最適な位置や向きに変更して表示するから、操作性が向上する。また、本発明の撮像装置は、タッチパネル上に設けた姿勢指示領域に対応する位置からの接触検知から、撮像装置本体の姿勢を判定する。したがって、少ない構成要素で撮像装置本体の姿勢を判定することができる。
【００１９】
さらに、本発明の撮像装置は、撮像装置本体の姿勢に応じて、ディスプレイに表示する情報表示を最適な位置や向きに変更して表示するから、情報表示の視認性が向上する。また、本発明の撮像装置は、タッチパネルからの接触検知の有無に応じて画像のサイズ及び位置を最適に変更して表示するから、撮影時に表示するスルー画像や再生表示する画像の視認性が向上する。
【００２０】
また、本発明の撮像装置は、撮影時にタッチパネルからの接触検知がなくなると、レンズ鏡胴を沈胴位置に移動させるから、誤って撮影中に撮像装置本体を取り落とした場合に、撮像レンズ及びレンズ鏡胴が破損または故障し難くする。
【発明を実施するための最良の形態】
【００２１】
図１及び図２に示すように、本発明を実施したデジタルカメラ５（撮像装置）、では、そのカメラボディ６（装置本体）の前面に、撮像レンズ１２を内蔵し、沈胴位置と突出位置との間で移動自在に設けられたレンズ鏡胴１１を備えている。レンズ鏡胴１１は、撮影時には突出位置に移動し、非撮影時には沈胴位置へ収納される。なお、非撮影時には、撮像レンズ１２はレンズバリア１３によって覆われる。また、カメラボディ６の前面にはストロボ発光部１４が設けられている。ストロボ発光部１４の動作には、赤目軽減モード、強制発光モード、発光禁止モードなどいくつかの発光モードがある。
【００２２】
カメラボディ６の形状は略直方体であり、その長手方向が水平方向と一致する向きを正姿勢とする横長の姿勢のときに、右手で把持した場合に操作しやすいように上面にレリーズボタン１５とメニューボタン１６が設けられている。
【００２３】
レリーズボタン１５は、カメラボディ６の上面にあり、カメラボディ６の正面から見て左端付近に配置される。レリーズボタン１５は、デジタルカメラ５の使用者が、右手でカメラボディ６を把持しながら右手の人差し指で押圧しやすい位置に配置されている。レリーズボタン１５は半押しと全押しの２段階の操作を行うことができる。半押し時には、自動露出調整（ＡＥ）や自動焦点調整（ＡＦ）等の撮像準備動作が行われ、全押し時に画像の記録が行われる。
【００２４】
メニューボタン１６は、デジタルカメラ５の設定を変更する設定モードと様々な撮影や再生などに対応した動作モードとを切り替える場合などに操作される。設定モードでは、メニューボタン１６を押圧操作すると、動作モードやストロボ発光部１４の設定などデジタルカメラ５の設定に関わるメニューがＬＣＤ１８（ディスプレイ）に表示される。
【００２５】
デジタルカメラ５はメニューボタン１６を操作することによって変更することができる動作モードとして、再生モードと撮影モードの２種類の動作モードを備えている。再生モードは、メモリカード７６（図４参照）などの記憶メディアに記憶された撮影画像を再生表示する動作モードである。
【００２６】
一方、撮影モードは、被写体像を撮影し、撮影画像をメモリカード７６（図４参照）などの記憶メディアに記憶する動作モードである。デジタルカメラ５が撮影モードの時には、レンズバリア１３を開放して撮像レンズ１２を外部に露出し、レンズ鏡胴１１はデジタルカメラ５から突出する。また、デジタルカメラ５の撮影モードは、撮影条件によっていくつかの撮影モードが用意されている。例えば、遠景撮影モード、近景撮影モード、ポートレートモード、オートモードなどが予め用意されている。
【００２７】
また、デジタルカメラ５は、設定モードで変更することができる表示モードとして、例えば、全画面表示モードや縮小表示モードなどの表示モードを備えている。全画面表示モードは、設定モード下でＬＣＤ１８に表示されるメニュー、ＬＣＤ１８に略常時表示されている操作キーなどの位置や大きさ、向き、さらにはタッチパネル１９にデジタルカメラ５の使用者が接触している位置などに関わらずＬＣＤ１８の画面全体を使用してスルー画や再生画像などを表示する表示モードである。この全画面表示モードのときには、ＬＣＤ１８に表示されるメニューや操作キーなどは全画面に表示される画像に重ね表示される。縮小表示モードは、デジタルカメラ５の使用者がタッチパネル１９に接触している位置などに応じて、表示すべき画像を縮小して表示する表示モードである。この縮小表示モードのときには、操作キーなどはＬＣＤ１８上で画像の表示されていないエリアに表示される。
【００２８】
カメラボディ６の一方の側面には電源スイッチ１７が設けられている。また、カメラボディ６の他方の側面には、撮影画像のデータを記憶するメモリカード７６（図４参照）が着脱自在に挿抜されるカードスロット（図示せず）や、メモリカード内のデータをＰＣなどの外部装置に転送するためのケーブルを接続するコネクタなどが設けられている。
【００２９】
また、カメラボディ６は、その底部付近に、姿勢センサ３１（姿勢検知手段）を備えている。姿勢センサ３１は、カメラボディ６の姿勢を検知するセンサであり、詳細は後述するが、検知したカメラボディ６の姿勢を傾斜信号として後述する姿勢判定部９０に出力する。
【００３０】
図２に示すように、カメラボディ６の背面には、撮影画像や再生画像などを表示し、略４：３のアスペクト比を持つＬＣＤ１８と、ＬＣＤ１８の略全域に重ねて配置されたタッチパネル１９が設けられている。タッチパネル１９は、タッチパネルコントローラ７９（図３参照）を介して、ユーザが指又は付属の入力ペン（図示せず）などで接触したとき、その接触位置を検知して接触信号を出力する。操作キーの表示に対応した接触位置が検知されたとき、デジタルカメラ５の各種動作が行われる。
【００３１】
ＬＣＤ１８には撮影画像や再生画像の他に、デジタルカメラ５に各種操作を行う操作キーがいくつか表示される。ＬＣＤ１８に表示される操作キーには、方向キー２１，２２、レリーズキー２３、メニューキー（図示せず）などがある。方向キー２１，２２など、いくつかの操作キーは、動作モードによって動作が異なるように設定されている。
【００３２】
例えば、デジタルカメラ５が撮影モードのときに方向キー２１を操作すると、ズームレンズ４１（図４参照）がテレ側に移動し、方向キー２２を操作するとズームレンズ４１（図４を参照）をワイド側に移動し、ズーム倍率が変化する。また、デジタルカメラ５が再生モードのときに方向キー２１を操作すると、次のコマの画像表示に進み、また、方向キー２２を操作すると前のコマの画像表示に戻る。
【００３３】
レリーズキー２３は、上述したレリーズボタン１５と同様に、２段階の操作ができる。すなわち、レリーズキー２３の１回目、２回目の接触検知がレリーズボタン１５の半押し、全押し状態にそれぞれ相当し、撮像準備動作及び画像記録がそれぞれ実行される。
【００３４】
ＬＣＤ１８上には略常時、メニューキー（図示せず）が表示される。タッチパネル１９に接触して、ＬＣＤ１８上に表示されているメニューキー（図示せず）を押圧操作すると、デジタルカメラ５の上面に備え付けられたメニューボタン１６と同様にデジタルカメラ５の動作モードやストロボ発光機１４の設定などの設定に関わるメニューがＬＣＤ１８上に表示される。また、ＬＣＤ１８には撮影画像や再生画像の他に、様々な情報が表示され、例えば、日付や時刻、バッテリ残量、現在選択中の動作モードや撮影モード下ではその撮影条件やストロボ発光モードなどがある。
【００３５】
図３に示すように、撮像レンズ１２は、例えば、ズームレンズ４１、絞り４２、フォーカスレンズ４３によって構成される。絞り４２は、絞り開口面積を変化させて撮影光量を調節する。ズームレンズ４１及びフォーカスレンズ４３は、光軸に沿って移動自在に設けられており、それぞれ変倍と焦点調節を行う。
【００３６】
フォーカスレンズ４３は、ズームレンズ４１の変倍や、レリーズボタン１５あるいはレリーズキー２３の入力操作にともなって、テレ側又はワイド側に移動してピント調節をする。絞り４２は、レリーズボタン１５あるいはレリーズキー２３の入力操作に伴って作動する。また、ズームレンズ４１、フォーカスレンズ４３、及びレンズ鏡胴１１の移動は、レンズモータ４６によって駆動される。レンズモータ４６は、ＣＰＵ５０（制御手段）に接続されたモータドライバ５２によって制御される。
【００３７】
撮像レンズ１２の背後には、撮像レンズ１２を透過した被写体像を撮像するＣＣＤ（撮像手段）５５が配置されている。ＣＣＤ５５は、ＣＰＵ５０によって制御されるＣＣＤドライバ５６によって駆動される。ＣＣＤ５５から出力されたアナログの撮像信号は相関二重サンプリング回路（ＣＤＳ）５７に入力されてノイズが除去されるとともに、増幅器（ＡＭＰ）５８で増幅される。そして、Ａ／Ｄ変換機（Ａ／Ｄ）５９によってデジタルな画像データに変換される。Ａ／Ｄ変換機（Ａ／Ｄ）５８から出力された画像データは、ＣＣＤ５５の各セルの蓄積電荷量に正確に対応したＲ、Ｇ、Ｂの画像データとしてＤＳＰ（Digital Signal Processor）６１へ入力される。
【００３８】
ＤＳＰ６１には、画像入力コントローラ６３、画質補正処理回路６４、ＹＣ変換処理回路６５、圧縮伸張処理回路６６が設けられている。ＤＳＰ６１は、画像データをＳＤＲＡＭ７２に一時的に記憶して、各種画像処理を施す。画像入力コントローラ６３は、Ａ／Ｄ変換機５９から入力された画像データをバッファリングして、データバス６８を介して接続されたＳＤＲＡＭ７２へ画像データを書き込む。ＳＤＲＡＭ７２は、作業用メモリであり、画像データや、ＣＰＵ５０によって実行される制御用プログラムがロードされる。ＥＥＰＲＯＭ７３には、前記制御用プログラムや設定情報などが格納される。
【００３９】
さらに、データバス６８を介して、露出量、すなわち電子シャッタのシャッタ速度と絞り４２の絞り値とが撮影に適切か否かを検出するとともに、ホワイトバランスが撮影に適切か否かを検出するＡＥ／ＡＷＢ検出回路（図示せず）と、撮像レンズ１２の焦点調節が適切か否かを検出するＡＦ検出回路（図示せず）とが接続されている。ＣＰＵ５０は、これらの検出結果に基づいて、撮像レンズ１２を制御する。
【００４０】
画質補正処理回路６４は、ＳＤＲＡＭ７２から画像データを読み出して、階調変換、ホワイトバランス補正、ガンマ補正処理などの各種画質補正処理を施し、この画像データを再度ＳＤＲＡＭ７２に記録する。ＹＣ変換処理回路６５は、画質補正処理回路６４で処理された画像データをＳＤＲＡＭ７２から読み出し、輝度信号Ｙと色差信号Ｃｒ、Ｃｂとに変換する。圧縮伸張処理回路６６は、ＹＣ変換された画像データを、例えば、所定の方式で圧縮して、ＴＩＦＦやＪＰＥＧなどといった所定のファイル形式で出力する。圧縮された画像データは、メディアコントローラ７５を経由してメモリカード７６に記憶される。
【００４１】
ＣＣＤ１６は、レリーズボタン１５或いはレリーズキー２３が操作されたときに画素数の大きな本画像データを出力すると共に、ＬＣＤ１８へスルー表示するための画素数の小さなスルー画像を出力する。スルー画像の出力は、スルー表示をオンにしている間、毎秒３０フレームのフレームレートで行われ、ＣＣＤ５５が出力したスルー画は、本画像データと同様にＳＤＲＡＭ７２へ一時的に記録される。本画像データは、上述の各種画像処理が施された後、メモリカード７６に記憶されるのに対して、スルー画データは、ＳＤＲＡＭ７２から読み出されて、エンコーダ７７によってアナログのコンポジット信号に変換されて、ＬＣＤ１８にビデオ出力される。ＳＤＲＡＭ７２内には、スルー画データを格納するＶＲＡＭ領域が確保されており、ＶＲＡＭ領域内のスルー画は、上記フレームレートに合わせて随時更新されてＬＣＤ１８に出力される。
【００４２】
メモリカード７６に記憶された撮影画像をＬＣＤ１８に再生表示する場合、ＣＰＵ５０はメディアコントローラ７５を介してメモリカード７６から記憶された撮影画像を読み出す。メモリカード７６から読み出された撮影画像は、ＴＩＦＦやＪＰＥＧなどといった所定のファイル形式で圧縮されているから、圧縮伸張処理回路６６によって伸張された後、エンコーダ７７によってアナログのコンポジット信号に変換されて、ＬＣＤ１８にビデオ出力される。
【００４３】
また、ＣＰＵ５０は、姿勢判定部９０、操作キー表示コントローラ９２、情報表示コントローラ９３を内包している。姿勢判定部９０は、上述した姿勢センサ３１から受ける傾斜信号を基にして、デジタルカメラ５本体の姿勢を判断し、操作キー表示コントローラ９２及び情報表示コントローラ９３にデジタルカメラ５本体の姿勢を入力する。
【００４４】
操作キー表示コントローラ９２は、姿勢判定部９０によって判断されたカメラボディ６の姿勢に合わせて、ＬＣＤ１８上に表示される各種操作キーを適切な位置及び向きに変更する。また、操作キー表示コントローラ９２は、ＬＣＤ１８に表示される画像と表示する操作キーが重なる場合には、画像の上に重ねて表示する。なお、このように重ね表示をする場合、操作キーを半透明にして背景となる画像を透過させてもよい。このような操作キーの透過表示に関する設定は、前述した設定モードで行う。
【００４５】
情報表示コントローラ９３は、姿勢判定部９０によって判断されたカメラボディ６の姿勢に合わせて、ＬＣＤ１８上の適切な位置及び向きに各種表示情報を表示する。なお、表示情報とは、日付や時刻、バッテリの残量表示、現在選択中の動作モードの表示、撮影時ならば撮影条件の表示などであり、タッチパネル１９による入力操作とは関係のない表示である。
【００４６】
デジタルカメラ５では、操作キーなどの押圧操作のためにタッチパネル１９から指などが離れる設定時間をＥＥＰＲＯＭ７３に記憶している。この設定時間内で、タッチパネル１９から接触信号が途切れた後に、再び別の位置を表す接触信号を受信しても、操作キー表示コントローラ９２、情報表示コントローラ９３、及び縮小表示コントローラ９４は、前述のような既定の動作を行わない。これにより、頻繁に表示の切り替えが行われることを抑制し、ＬＣＤ１８の表示を見やすくすることができる。
【００４７】
また、デジタルカメラ５では、タッチパネル１９から検知される接触位置が変化したとき、この接触位置の変位量が、ＥＥＰＲＯＭ７３に予め記憶された所定値よりも少ない値であれば、上述の動作を実行せず、変位量が所定値を超えている場合には、操作キーに応じた動作を実行する。これによって、使用者の手や指などが微少量だけずれた場合には、表示の切り替えが行われないため、使用者の意図に反して表示の切り替えが行われることを防止できる。
【００４８】
以下、上記構成による作用について説明する。デジタルカメラ５を用いて、撮影を行うときには、電源をオン状態とした後、メニューボタン１６またはメニューキー（図示しない）を押圧操作し、適切な撮影モードを選択する。このとき、レンズバリア１３は開放状態となり、撮像レンズ１２が露呈されると同時に、レンズ鏡胴１１は沈胴位置から突出し、スルー画の取得が開始される。撮影モードの開始後、ＣＰＵ５０は姿勢センサ３１からの傾斜信号からデジタルカメラ５本体の姿勢を判断する。そして、ＣＰＵ５０は、デジタルカメラ５本体の姿勢とタッチパネル１９からの接触信号をもとに各種操作キー及び各種表示情報の表示を行う。
【００４９】
例えば、図４に示すように、デジタルカメラ５のカメラボディ６を、横長の姿勢に右手１０２で把持すると、姿勢センサ３１はカメラボディ６の姿勢を検知し、横長の姿勢であることを示す傾斜信号をＣＰＵ５０に出力する。また、カメラボディ６を把持している撮影者の右手１０２の親指が接触する位置１０５に対応する接触信号をＣＰＵ５０に出力する。これにより、ＣＰＵ５０は、方向キー２１，２２、及びレリーズキー２３などの操作キーを撮影者の天地左右に合わせて、横長の姿勢で使いやすい向きに、ＬＣＤ１８上の親指が接触する位置１０５の近傍に表示を切り替える。同時に、ＣＰＵ５０は、日付１０３などの表示情報を横長の姿勢で視認しやすい位置及び向きにＬＣＤ１８に表示を切り替える。
【００５０】
また、例えば、図５に示すように、デジタルカメラ５を、横長の姿勢から９０度回転した縦長の姿勢に右手１０７で把持すると、姿勢センサ３１はデジタルカメラ５の姿勢を検知し、縦長の姿勢であることを示す傾斜信号をＣＰＵ５０に出力する。また、右手１０２の親指が接触する位置１１０に対応する接触信号をＣＰＵ５０に出力する。したがって、ＣＰＵ５０は、方向キー２１，２２、及びレリーズキー２３などの操作キーを撮影者の天地左右に合わせて、縦長の姿勢で使いやすい向きに、ＬＣＤ１８上の親指が接触する位置１１０の近傍に表示を切り替える。同時に、ＣＰＵ５０は、日付１０８などの表示情報を横長の姿勢で視認しやすい位置及び向きにＬＣＤ１８に表示を切り替える。
【００５１】
さらにまた、デジタルカメラ５の姿勢を横長の姿勢から縦長の姿勢に、又は縦長の姿勢から横長の姿勢に変更するごとに上述のような表示の変更が行われる。
【００５２】
そして、ＬＣＤ１８上に表示されるスルー画像及び情報表示を確認しながらフレーミングを行い、レリーズキー１６またはレリーズボタン２３を押圧操作して画像を取得し、メモリカード７６に記憶する。
【００５３】
以上のように、デジタルカメラ５は、カメラボディ６の姿勢を検知して、各種操作キー及び各種表示情報をＬＣＤ１８上に表示するから、カメラボディ６の姿勢が横長の姿勢であっても、縦長の姿勢であっても、各種操作キー及び各種表示情報の向きは撮影者の天地左右に一致する向きに表示され、各種操作キーの位置はデジタルカメラ５を把持する指の近傍に配置される。したがって、各種操作キーは常に使いやすい位置及び向きに表示され、各種表示情報は常に視認しやすい位置及び向きに表示される。
【００５４】
上述の第１の実施形態では、デジタルカメラ５本体の姿勢を検知する手段として姿勢センサ３１を用いたが、これに限らず、以下第２の実施形態では、タッチパネル及び制御手段を姿勢検知手段として用いる例を示す。なお、第２の実施形態では、第１の実施形態と同様の図は省略し、また、第１の実施形態と同様の部品などには同一の符号を付しその説明を省略する。
【００５５】
デジタルカメラ２０５は、図６及び図７に示すように、タッチパネル１９に、カメラボディ２０６の姿勢を指示する姿勢指示部２６，２７，２８，２９（姿勢指示領域）を備えている。これらの姿勢指示部２６，２７，２８，２９は、略長方形の領域であり、デジタルカメラ２０５の使用者がこれらの領域のいずれかに接触することでデジタルカメラ２０５本体の姿勢は指示される。
【００５６】
姿勢指示部２６は、ＬＣＤ１８の右辺に対応するように設けられる。デジタルカメラ２０５の使用者がこの姿勢指示部２６に接触すると、接触信号を出力するとともに、デジタルカメラ２０５の姿勢は、デジタルカメラ２０５の長手方向が水平方向と略一致する横長の姿勢であることを示す姿勢指示信号をＣＰＵ５０に出力する。
【００５７】
姿勢指示部２７は、ＬＣＤ１８の左辺に対応するように設けられる。デジタルカメラ２０５の使用者がこの姿勢指示部２７に接触すると、接触信号を出力するとともに、デジタルカメラ２０５本体の姿勢は、横長の姿勢であることを示す姿勢指示信号をＣＰＵ５０に出力する。
【００５８】
姿勢指示部２８は、ＬＣＤ１８の上辺に対応するように設けられる。デジタルカメラ２０５の使用者がこの姿勢指示部２８に接触すると、接触信号を出力するとともに、デジタルカメラ本体の姿勢は、長手方向が水平方向と略垂直になる縦長の姿勢であることを示す姿勢指示信号をＣＰＵ５０に出力する。
【００５９】
姿勢指示部２９は、ＬＣＤ１８の下辺に対応するように設けられる。デジタルカメラ２０５の使用者がこの姿勢指示部２９に接触すると、接触信号を出力するとともに、デジタルカメラ５本体の姿勢は、縦長の姿勢であることを示す姿勢指示信号をＣＰＵ５０に出力する。
【００６０】
姿勢判定部９０は、姿勢指示部２６、２７、２８、又は２９の何れかから姿勢指示信号を受けてカメラボディ２０６の姿勢を横長の姿勢であるか、または縦長の姿勢であるかを判断し、操作キー表示コントローラ９２及び情報表示コントローラ９３を作動させる。
【００６１】
以上のように構成されたデジタルカメラ２０５の作用について説明する。姿勢指示部２６と姿勢指示部２８はともに、デジタルカメラ２０５の使用者が接触することで、デジタルカメラ２０５本体の姿勢は、横長の姿勢であると指示されるが、さらに、姿勢指示部２６はデジタルカメラ５を右手で把持していることを示し、また、姿勢指示部２８はデジタルカメラ２０５を左手で把持していることを示す。姿勢指示部２６からの姿勢指示信号によってカメラボディ２０６の姿勢が横長の姿勢であると指示された場合には、姿勢指示部２７がカメラボディ２０６の上方、姿勢指示部２９がカメラボディ２０６の下方として、各種操作キーや各種表示情報は配置される。
【００６２】
同様にして、姿勢指示部２８からの姿勢指示信号によってカメラボディ２０６の姿勢が横長の姿勢であると指示された場合には、姿勢指示部２７がカメラボディ２０６の上方、姿勢指示部２９がカメラボディ２０６の下方として、各種操作キーや各種表示情報は配置される。つまり、姿勢指示部２６又は姿勢指示部２８によってカメラボディ２０６の姿勢が横長の姿勢であると検知された場合には、何れの場合も姿勢指示部２７がカメラボディ２０６の上方、姿勢指示部２９がカメラボディ２０６の下方となる状態に合わせて各種操作キーや各種表示情報がＬＣＤ１８に配置される。
【００６３】
また、姿勢指示部２７，２９からの姿勢指示信号を受けたときは、ともにカメラボディ２０６の姿勢が縦長の姿勢であると指示されるが、これらの場合、右手による把持状態に合わせて各種操作キー及び各種表示情報の表示が設定されている。すなわち、姿勢指示部２７からの姿勢指示信号をうけたときには、カメラボディ２０６が縦長の姿勢かつ姿勢指示部２７が右側であると指示し、姿勢指示部２８が上方、姿勢指示部２６が下方となる状態に合わせて各種操作キー及び各種表示情報の表示を切り替え、また、姿勢指示部２９からの姿勢指示信号を受けたときには、カメラボディ２０６が縦長の姿勢かつ姿勢指示部２９が右側であると指示し、姿勢指示部２６が上方、姿勢指示部２８が下方となる状態に合わせて各種操作キー及び各種表示情報の表示を切り替える。
【００６４】
なお、カメラボディ２０６が縦長の姿勢のときに右手で把持するか左手で把持するかを設定モード下で選択入力可能とし、撮影者の好みに合わせて各種操作キー及び各種表示情報の表示設定を変更可能としてもよい。
【００６５】
以上のように、姿勢センサ３１の代わりに、タッチパネル１９に設けられた姿勢指示部２６，２７，２８，２９とＣＰＵ５０に備えられた姿勢判定部９０によってデジタルカメラ２０５の姿勢を検知して、適切な位置及び向きに各種操作キー及び各種表示情報をＬＣＤ１８上に表示させることができる。
【００６６】
次に、タッチパネルから接触信号の出力があった場合に、表示する画像のサイズを変更する第３の実施形態を以下に示す。なお、第１の実施形態及び第２の実施形態と共通する部品などは同一の符号を付し、その説明を省略する。
【００６７】
図８に示すように、デジタルカメラ３０５は、縮小表示コントローラ９４を備えている。縮小表示コントローラ９４は、タッチパネル１９から受ける接触信号をもとに、ＬＣＤ１８に表示する画像の適切なサイズと位置を算出し、これに基づいて画像をサイズ及び位置を変更してＬＣＤ１８に表示させる。また、縮小表示コントローラ９４に接触信号が入力されない場合には、撮像画像又は再生画像などはＬＣＤ１８に全画面表示させる。
【００６８】
例えば、図９に示すように、カメラボディ３０６を右手１１７で横長の姿勢に把持した場合、デジタルカメラ１０３を把持する右手１１７の親指がタッチパネル１９に接触する位置１２０に対応する接触信号と、姿勢センサ３１が出力する傾斜信号とを受けて、ＣＰＵ５０は適切な位置及び向きに各種操作キー及び各種表示情報をＬＣＤ１８上に表示する。同時に、ＣＰＵ５０は、タッチパネル１９上の接触位置１２０を除く部分に、表示画像を縮小及び移動してさせる。カメラボディ３０６を縦長の姿勢に把持した場合も同様にして、接触位置を除く部分に表示画像を縮小及び移動させる。
【００６９】
また、例えば、図１０に示すように、カメラボディ３０６を両手１３１，１３３で把持した場合、カメラボディ３０６を把持する右手１３１がタッチパネル１９に接触する位置１３２に対応する接触信号と、姿勢センサ３１が出力信号とを受けて、ＣＰＵ５０は適切な位置及び向きに各種操作キー及び各種表示情報をＬＣＤ１８上に表示する。同時に、ＣＰＵ５０は、右手１３１がタッチパネル１９に接触する位置１３２と、左手１３３がタッチパネル１９に接触する位置１３４との両方を除く部分に、表示画像を縮小及び移動させる。カメラボディ３０６を縦長の姿勢に把持した場合も同様にして、接触位置を除く部分に表示画像を縮小及び移動させる。
【００７０】
さらに、例えば、図１１に示すように、カメラボディ３０６の外周を把持している場合、タッチパネル１９から接触信号が出力されない。この場合、ＣＰＵ５０は、ＬＣＤ１８の表示領域全てを使用して全画面表示する。
【００７１】
なお、画像を表示しているときにカメラボディ３０６の把持を把持する手や指の位置が変化し、タッチパネル１９への接触位置が変化するたびに上述のように、画像サイズを変更し、また画像表示位置の移動して、上述のように画像の再表示が行われる。
【００７２】
以上のように、デジタルカメラ３０５は、カメラボディ３０６の姿勢を検知して各種操作キー及び各種表示情報を適切な位置及び向きに表示するとともに、接触信号をもとに表示画像を縮小及び移動し、タッチパネル１９への接触位置を除く部分に表示するから、デジタルカメラ３０５を把持する手や指によって画像の一部分を覆われることがなくなる。したがって、ＬＣＤ１８に表示される画像の視認性が向上する。
【００７３】
次に、第４の実施形態として、撮影中にタッチパネルからの接触信号の出力が途絶えたときに、レンズ鏡胴を沈胴位置に移動させる例を示す。なお、第１〜３の実施形態と同様の部品には同一の符号を付しその説明を省略する。
【００７４】
図１２に示すように、デジタルカメラ４０５のカメラボディ４０６は、三脚３３を接続する接続部３４を底部に備えている。また、接続部３４は、三脚３３が接続されていることを検知にする三脚検知スイッチ３８（接続検知手段）を備えている。三脚検知スイッチ３８は、三脚３３が接続部３４に接続されているときにオンとなる。
【００７５】
図１３に示すように、デジタルカメラ４０５は、ＣＰＵ５０に接触監視部４０８を備える。接触監視部４０８は、デジタルカメラ４０５が撮影モードであるときに、タッチパネル１９からの接触信号の有無を監視する。接触監視部４０８は、接触信号が途絶えると突出位置にあるレンズ鏡胴１１を沈胴位置へ移動させる。さらに、接触監視部４０８は、デジタルカメラ４０５が撮影モードである場合に、三脚検知スイッチ３８のオン、オフを監視する。
【００７６】
上述のように構成されたデジタルカメラ４０５の作用を図１４及び図１５に従って説明する。撮影を行うときには、電源をオン状態とした後、メニューボタン１６又はメニューキー（図示しない）を操作し、適切な撮影モードを選択する。このとき、レンズバリア１３は開放状態となり、撮像レンズ１２が露呈されると同時に、レンズ鏡胴１１は沈胴位置から突出しスルー画の取得が開始される。
【００７７】
また、同時に、タッチパネル１９からの接触信号と姿勢センサ３１からの傾斜信号とから、デジタルカメラ４０５本体の姿勢を判断し、適切な位置及び向きに各種操作キー及び各種表示情報を表示する。
【００７８】
例えば、撮影中に撮影者が誤ってデジタルカメラ４０５から手を離すなどして、ＣＰＵ５０に入力される接触信号が途絶えると、ＣＰＵ５０は突出位置にあるレンズ鏡胴１１を沈胴位置へ移動する。一方、三脚３３が接続部３４に接続されており、三脚検知スイッチ３８がオンの場合には、レンズ鏡胴１１の沈胴位置への移動を規制して突出位置に保持し、撮影モードを継続する。
【００７９】
以上のように、デジタルカメラ４０５は、接触信号と傾斜信号とから判断し、適切な位置及び向きに各種操作キー及び各種表示情報を表示するとともに、撮影中に撮影者が誤ってデジタルカメラ４０５を落とした場合などタッチパネルへの接触が途絶えた場合には、レンズ鏡胴１１を沈胴位置へ移動するから、落下による衝突及びその衝撃などによってレンズ鏡胴及び撮像レンズなどが破損することを防ぐことができる。
【００８０】
なお、上記第１〜４本実施形態では、方向キー２１，２２は、デジタルカメラ５の使用者に対して上下に表示し、撮影時の日付はＬＣＤ１８の左下付近に表示するが、これらの位置や向きは上記の構成に限定されず、操作キーや表示情報の位置や向きを設定モード下で選択可能としてもよい。
【００８１】
なお、上記第２実施形態では、タッチパネル１９上に姿勢指示部２６，２７，２８，２９を設けたが、これらの位置や形状、範囲及びそれぞれの姿勢判定部に対応するカメラボディの姿勢は、上記第２実施形態の構成に限らない。例えば、カメラボディの横長の姿勢或いは縦長の姿勢に対応する２箇所だけに姿勢指示部を設けてもよい。また、姿勢指示部の範囲や形状は、カメラボディを把持するためにタッチパネル１９に接触する範囲に設けられていればよい。
【００８２】
なお、本実施形態では、撮影画像のアスペクト比を４：３として説明したが、もちろん１６：９など他のアスペクト比でもよい。また、上記実施形態では、静止画を撮影するデジタルカメラの例で説明したが、動画を撮影するデジタルカメラに本発明を適用してもよい。また、本実施形態では、本発明をデジタルカメラに適用した例で説明したが、これに限るものではなく、カメラ付き携帯電話、ＰＤＡ（Personal Digital Assistance)など、撮像機能を有する携帯端末などの各種ディスプレイ付き撮像装置に適用することができる。
【００８３】
なお、本実施形態では、画像などを表示するディスプレイとしてＬＣＤを用いたが、本発明の適用はこれに限らない。例えば、ＬＣＤの代わりに、有機ＥＬディスプレイなどを用いてもよい。
【図面の簡単な説明】
【００８４】
【図１】デジタルカメラの外観の前面を示す斜視図である。
【図２】デジタルカメラの外観の背面を示す斜視図である。
【図３】第１の実施形態におけるデジタルカメラの電気的構成を示すブロック図である。
【図４】デジタルカメラを横向きの姿勢に把持する場合を示す斜視図である。
【図５】デジタルカメラを縦向きの姿勢に把持する場合を示す斜視図である。
【図６】第２の実施形態のデジタルカメラにおけるタッチパネル上の姿勢指示領域を示す背面図である。
【図７】第２の実施形態のデジタルカメラの電気的構成を示すブロック図である。
【図８】第３の実施形態のデジタルカメラの電気的構成を示すブロック図である。
【図９】第３の実施形態のデジタルカメラを片手で把持した場合に、画像が縮小及び移動されて表示される様子を示す背面図である。
【図１０】第３の実施形態のデジタルカメラを両手で把持した場合に、画像が縮小及び移動されて表示される様子を示す背面図である。
【図１１】第３の実施形態のデジタルカメラの外周を把持する場合に、画像が全画面表示される様子を示す背面図である。
【図１２】第４の実施形態のデジタルカメラに三脚を接続する様子を示す斜視図である。
【図１３】第４の実施形態のデジタルカメラの電気的構成を示すブロック図である。
【図１４】第４の実施形態のデジタルカメラの作用を示すフローチャートである。
【図１５】第４の実施形態の作用を示す説明図である。
【符号の説明】
【００８５】
５  デジタルカメラ（撮像装置）
６，２０６，３０６，４０６  カメラボディ（装置本体）
１１  レンズ鏡胴
１２  撮像レンズ
１８  ＬＣＤ（ディスプレイ）
１９  タッチパネル
２１，２２  方向キー（操作キー）
２３  レリーズキー（操作キー）
２６，２７，２８，２９  姿勢指示部（姿勢指示領域）
３１  姿勢センサ（姿勢検知手段）
３３  三脚
３８  三脚検知スイッチ（接続検知手段）
４６  レンズモータ
５０  ＣＰＵ（制御手段）
５２  モータドライバ
５５  ＣＣＤ（撮像手段）
７２  ＳＤＲＡＭ
７３  ＥＥＰＲＯＭ
９０  姿勢判定部（姿勢検知手段）
９２  操作キー表示コントローラ
９３  情報表示コントローラ
９４  縮小表示コントローラ
１０３，１０８，１１８，１３３，１４２  日付（情報表示）
【図１】
2007300353.tif 000003
【図２】
2007300353.tif 000004
【図３】
2007300353.tif 000005
【図４】
2007300353.tif 000006
【図５】
2007300353.tif 000007
【図６】
2007300353.tif 000008
【図７】
2007300353.tif 000009
【図８】
2007300353.tif 000010
【図９】
2007300353.tif 000011
【図１０】
2007300353.tif 000012
【図１１】
2007300353.tif 000013
【図１２】
2007300353.tif 000014
【図１３】
2007300353.tif 000015
【図１４】
2007300353.tif 000016
【図１５】
2007300353.tif 000017